(57)【要約】【課題】ベルトに過度の荷重が掛かった場合、意図的な操作を行うことなく、ベルトが切り離されるようにして不慮の事故を未然に防止する物品吊下保持装置を提供する。【解決手段】物品に回動自在に枢着された連結具３には挿通孔７を設けてあり、ベルト２はその挿通孔７に挿通され、折返部２ａを介して折り返されて連結具３に係着される。連結具３の外枠部８は、挿通孔７に挿通されたベルトの折返部２ａの幅方向ほぼ中央部に臨んで該挿通孔７を外部に連通する切欠部９により分断された一対の分割片８ａ，８ｂを形成しており、ベルト２に張力を与えたとき、連結具３が切欠部９をベルトの引張方向に向けるように回動すると共に、ベルトの引張荷重が所定値を超えたとき、折返部２ａのほぼ中央部を切欠部９に進入せしめることによりほぼ半折状態とし、切欠部９から挿通孔７の外部に脱出せしめる構成である。【選択図】図５
2007209500.tif 000002
【特許請求の範囲】
【請求項１】
物品に回動自在に枢着された連結具(3)と、前記連結具に係着した状態でユーザの身体に掛けられるベルト(2)から成り、前記連結具(3)は、外縁を外枠部(8)により区成された挿通孔(7)を設け、前記ベルト(2)は、前記挿通孔(7)に挿通されると共に前記外枠部(8)を挟んで折返された折返部(2a)を介して連結具(3)に係着された構成において、
前記連結具(3)の外枠部(8)は、挿通孔(7)に挿通されたベルトの折返部(2a)の幅方向ほぼ中央部に臨んで該挿通孔を外部に連通する切欠部(9)により分断された一対の分割片(8a)(8b)を形成しており、ベルト(2)に張力を与えたとき、前記連結具(3)が前記切欠部(9)をベルトの引張方向に向けるように回動すると共に、ベルトの引張荷重が所定値を超えたとき、前記折返部(2a)のほぼ中央部を切欠部(9)に進入せしめることによりほぼ半折され、半折状態とされた折返部(2a)を一対の分割片(8a)(8b)の先端に圧接しながら切欠部(9)から挿通孔(7)の外部に脱出せしめるように構成して成ることを特徴とする物品吊下保持装置。
【請求項２】
ベルト(2)は肉厚方向に圧縮可能な編織物により形成され、ベルトの折返部(2a)の肉厚ｔに対する切欠部(9)の幅ｗは、２ｔ≧ｗ≧ｔとなるように構成されて成ることを特徴とする請求項１記載の物品吊下保持装置。
【発明の詳細な説明】
【技術分野】
【０００１】
本発明は、水筒や鞄等の携帯用物品に帯状のベルトを取り付け、肩や首から物品を吊り下げて保持する物品吊下保持装置に関する。
【背景技術】
【０００２】
水筒等の携行する物品には、物品の側面等にショルダーベルトを取り付け、肩や首から吊り下げ可能としたものが公知である（例えば、特許文献１）。この種の物品は、ショルダーベルトで吊り下げ状態とすれば、両手が自由に使えるという利点がある。そのため、例えば児童が水筒等を肩から吊り下げたままで公園の遊具等で遊ぶこともできる。
【０００３】
【特許文献１】特開２００５−０００４５６号公報
【発明の開示】
【発明が解決しようとする課題】
【０００４】
しかしながら、従来のショルダーベルトは水筒等の物品の落下を防止するため、留め具を介して物品に固定されており、留め具から意図的にベルトを外さない限り、物品とベルトは連結されたままである。そのため、児童が水筒等を肩や首から吊り下げたままで遊んでいるときに、ショルダーベルトが遊具に引っ掛かる等の事態が生じると、ベルトが児童の身体を拘束して締め付け、不慮の事故を招く危険がある。
【０００５】
本発明は、上記課題を解決することを目的としてなされたものであり、ベルトに過度の荷重が掛かった場合には、意図的な操作を行うことなく、ベルトが物品から切り離されるようにして不慮の事故を未然に防ぐことを可能にした物品吊下保持装置を提供するものである。
【課題を解決するための手段】
【０００６】
上記目的を達成するため、本発明に係る物品吊下保持装置が解決手段として採用したところは、物品に回動自在に枢着された連結具(3)と、前記連結具に係着した状態でユーザの身体に掛けられるベルト(2)から成り、前記連結具(3)は、外縁を外枠部(8)により区成された挿通孔(7)を設け、前記ベルト(2)は、前記挿通孔(7)に挿通されると共に前記外枠部(8)を挟んで折返された折返部(2a)を介して連結具(3)に係着された構成において、前記連結具(3)の外枠部(8)は、挿通孔(7)に挿通されたベルトの折返部(2a)の幅方向ほぼ中央部に臨んで該挿通孔を外部に連通する切欠部(9)により分断された一対の分割片(8a)(8b)を形成しており、ベルト(2)に張力を与えたとき、前記連結具(3)が前記切欠部(9)をベルトの引張方向に向けるように回動すると共に、ベルトの引張荷重が所定値を超えたとき、前記折返部(2a)のほぼ中央部を切欠部(9)に進入せしめることによりほぼ半折され、半折状態とされた折返部(2a)を一対の分割片(8a)(8b)の先端に圧接しながら切欠部(9)から挿通孔(7)の外部に脱出せしめるように構成した点にある。
【０００７】
かかる構成によると、ベルトが引張られた場合に連結具が回動して切欠部はその引張方向に向き、更にベルトに所定値を超える引張荷重が掛かるとベルトの折返部のほぼ中央部が引張方向に向いた切欠部に進入しつつ折曲され、最終的に半折状態で切欠部を通過して連結具から離脱する。
【０００８】
また、ベルト(2)を肉厚方向に圧縮可能な編織物により形成し、ベルトの折返部(2a)の肉厚ｔに対する切欠部(9)の幅ｗを、２ｔ≧ｗ≧ｔとなるように構成することがより好ましい。
【発明の効果】
【０００９】
本発明に係る物品吊下保持装置によれば、連結具の挿通孔に通されたベルトが引張られると、連結具が回動して切欠部がその引張方向に向き、引張荷重が所定値に至らないときはベルトの折返部が一対の分割片に支持されているが、ベルトに所定値を超える引張荷重が掛かると、ベルトの折返部が半折状態に折曲して引張方向に向いた切欠部を通過し、連結具から離脱する。したがって、ベルトに過度の荷重が掛かった場合には、意図的な操作を行うことなく、ベルトが連結具や物品から切り離されることになり、万一、身体にベルトが巻き付いた場合でもベルトによる締め付けを開放できるので、不慮の事故等を未然に防止できるようになる。
【００１０】
またベルトを肉厚方向に圧縮可能な編織物により形成し、ベルトの折返部の肉厚ｔに対する切欠部の幅ｗを、２ｔ≧ｗ≧ｔとした構成の場合には、通常の物品吊下保持状態であってベルトの引張荷重が所定値に至らないときに、ベルトの折返部が容易に挿通孔から離脱することを防止できると共に、ベルトに所定値を超える引張荷重が作用したときには必ずベルトの折返部を切欠部に通過させ、連結具から離脱させることができる。
【発明を実施するための最良の形態】
【００１１】
以下図面に基づいて本発明の好ましい実施形態を詳述する。
【００１２】
（第一実施形態）
図１乃至図７はそれぞれ本発明に係る物品吊下保持装置の一実施形態を示す図である。尚、図例では、物品吊下保持装置の取付対象物品が水筒である場合を示しているが、本発明の取付対象物品はこれに限られるものではなく、例えば児童用鞄やその他の鞄類等にも取り付け可能である。
【００１３】
物品吊下保持装置は、例えば図１に示す如く、水筒等の物品１の側面に設けられる。この装置は、化学繊維等の編織物（編物又は織物）で帯状に形成され、長手方向だけでなく帯幅方向にも可撓性を有すると共に、圧縮により肉厚を減じることが可能なベルト２と、このベルト２を物品に連結するベルト連結具３とを備えている。ベルト連結具３は物品１の対向する両側面に設けられた軸部４に対して枢着され、図中矢印Ｒで示す方向に回動自在である。ベルト２は、その両端部が２箇所のベルト連結具３に連結されることにより、物品１をユーザの肩や首から吊り下げ保持可能なショルダーベルトとして使用される。尚、ベルト２にはベルト連結部３に挿通され折返された折返部２ａから延びるベルト先端部を係止するための留め具５が設けられている。
【００１４】
図２はベルト連結具３を示す図である。ベルト連結具３は樹脂製又は金属製の板状部材から構成され、その中央には軸部４に装着するための瓢箪形の装着孔６が設けられる。装着孔６は径の異なる２つの円形孔６ａ，６ｂが狭幅部６ｃを介在させて互いに連通するように設けられる。軸部４は物品１の側面から延びる比較的小径の支柱部分（図示省略）と、その支柱部分の先端に設けた大径の円盤状頭部４ａとを有しており、大径の円形孔６ａは軸部４の円盤状頭部４ａを通すための孔であり、円形孔６ａに挿入された軸部４の支柱部分を、狭幅部６ｃを介して小径の円形孔６ｂに嵌め込むことにより、ベルト連結具３が軸部４に装着される。小径の円形孔６ｂ及び狭幅部６ｃは軸部４の支柱部分に係止し、ベルト連結具３を軸部４の周りに回動自在に支持する。
【００１５】
ベルト連結具３の装着孔６の外側には、ベルト２を通すための孔として、外縁が外枠部８により区成され、ベルト２の帯幅に対応した幅寸法の挿通孔７が直線状に設けられる。またベルト連結具３には、挿通孔７の外枠部８を分断して、挿通孔７のベルト幅中央に臨んで外部に連通する切欠部９を設けており、この切欠部９を挟んで対向する一対の分割片８ａ，８ｂが挿通孔７を通るベルト２の折返部２ａの帯幅両端部分を支持する構成である。切欠部９はベルト２に過度の引張荷重が作用したとき、その荷重によってベルト２の折返部２ａが挿通孔７から外部に抜け出すように開放されている。尚、切欠部９と小径の円形孔６ｂを結ぶ直線方向と、挿通孔７の幅方向とは互いに直交する態様とすることが好ましい。
【００１６】
図３は挿通孔７の外枠部８に設けられた一対の分割片８ａ，８ｂの一形態を示す拡大図である。図例では、一対の分割片８ａ，８ｂの互いに対向する切欠部９に臨む部分を曲面状に形成している。分割片８ａ，８ｂの先端が曲面であるので、ベルト２に張力が掛かると、ベルト２の折返部２ａの帯幅中央部がスムーズに切欠部９に案内されていき、そして分割片８ａ，８ｂの先端に引っ掛かることなくスムーズに滑りながら折返部２ａが切欠部９を通過する。またベルト折返部２ａの肉厚をｔとすると、切欠部９の幅ｗが２ｔ≧ｗ≧ｔとなるように設けている。切欠部９の幅ｗをこの範囲とすることにより、通常の物品吊下保持状態でベルト２の折返部２ａが容易に挿通孔７から離脱することを防止し、しかもベルト２に所定の引張荷重が作用したときには必ずベルト２の折返部２ａが切欠部９を通過させることができる。但し、ベルト２の表面が極めて滑らかであり、しかも圧縮による肉厚の縮減量が大きい場合には、切欠部９の幅ｗをベルト２の折返部２ａの肉厚ｔよりも更に小さくしても良い。
【００１７】
次に図４乃至図７を参照しつつ、物品吊下保持装置の動作及び作用について説明する。図４はベルト連結具３の回動を示す図である。上述の如く、ベルト連結具３は物品１の軸部４に対して回動自在であるので、ベルト２が引張られると、ベルト連結具３は軸部４を中心に回動する。例えば、図中Ａ方向に向かってベルト２が引張られると、ベルト連結具３はＲ１方向に回動して、ベルト２の折返部２ａの幅方向が引張方向Ａに対して直角となり、切欠部９が引張方向Ａに向く。また図中Ｂ方向に向かってベルト２が引張られると、ベルト連結具３はＲ２方向に回動して、ベルト２の折返部２ａの幅方向が引張方向Ｂに対して直角となり、切欠部９が引張方向Ｂに向く。このようにベルト連結具３は、ベルト２が引張られた場合、軸部４を中心に回動し、挿通孔７に通したベルト２の折返部２ａの帯幅方向を引張方向に対して常に直角とし、しかも挿通孔７に連通する切欠部９を常に引張方向に向ける。
【００１８】
そしてベルト２に対して更に引張荷重が掛かり、例えば１５ｋｇ程度の所定の荷重になると、図５に示すようにベルト２の折返部２ａの中央部が切欠部９に進入しつつ折曲していき、Ｖ字状の形態に変化していくと共に、ベルト２の折返部２ａが切欠部９に食い込む。そして図６に示すように、ベルト２の折返部２ａが半折状態となって一対の分割片８ａ，８ｂの先端に圧接しながら切欠部９を通過していく。このときベルト２の折返部２ａは肉厚方向に圧縮される。そして各分割片８ａ，８ｂの先端を滑りながら切欠部９を通り、最終的に図７に示すようにベルト連結具３から離脱する。図５の態様から図７の態様までの変化は極めて速く、ベルト２に対して所定値以上の引張荷重が掛かるとほぼ一瞬のタイミングでベルト２の折返部２ａがベルト連結具３から離脱する。
【００１９】
したがって、例えば児童がベルト２を肩や首に掛けたまま遊具で遊んでいるときに、ベルト２が遊具に引っ掛かる等の事態が生じたとしても、ベルト連結具３に過度の引張荷重が掛かるとベルト２の折返部２ａがベルト連結具３から直ちに離脱して締め付けを開放するので、ベルト２が児童の身体を拘束することはなく、不慮の事故等を未然に防止することができる。
【００２０】
尚、ベルト２の折返部２ａをベルト連結具３から離脱させるのに必要な引張荷重は、切欠部９の幅、一対の分割片８ａ，８ｂの形状及び材質、並びにベルト２の形状及び材質等を適宜選択することにより任意に設定可能であるが、水筒等の物品１の主な使用対象年齢層を考慮して、その平均体重が掛かった場合には、ベルト２がベルト連結具３から離脱するように設定しておくことが好ましい。
【００２１】
（第二実施形態）
図８は、挿通孔７の外枠部８に設けられた一対の分割片８ａ，８ｂの第二の形態を示す拡大図である。この実施形態では、外枠部８に設けた一対の分割片８ａ，８ｂはそれぞれ先端側で挿通孔７に臨む部分から切欠部９に向かってテーパ状に形成したガイド部１０を設けている。そのため、ベルト２に張力が掛かると、ベルト２の折返部２ａの帯幅中央部がガイド部１０に沿って切欠部９に案内されるため、ベルト２の折返部２ａをスムーズに外部に抜け出させることができ、ベルト２の折返部２ａを確実に挿通孔７から離脱させることができる。
【００２２】
（第三実施形態）
図９は、挿通孔７の外枠部８に設けられた一対の分割片８ａ，８ｂの第三の形態を示す拡大図である。この実施形態では、一対の分割片８ａ，８ｂの互いに対向する切欠部９に臨む部分を曲面状に形成すると共に、各分割片８ａ，８ｂを弾性材料で形成し、ベルト２の折返部２ａに掛かる引張荷重によって各分割片８ａ，８ｂが挿通孔７の外側に向けて弾性変形するように構成している。このため、ベルト２の折返部２ａに引張荷重が掛かると、各分割片８ａ，８ｂは挿通孔７の外側を向くように変形するので、切欠部９の幅を拡開すると共に、挿通孔７に臨む辺が切欠部９に向かって傾斜する。そしてベルト２の折返部２ａがスムーズに外部に抜け出すことができるようになり、より確実に挿通孔７から離脱させることができる。尚、一対の分割片８ａ，８ｂの先端は曲面形状でなくても良く、例えば図８の如くテーパ状のガイド部１０を設けた形状としても良い。
【図面の簡単な説明】
【００２３】
【図１】物品吊下保持装置を物品（水筒）に取り付けた状態を示す図である。
【図２】ベルト連結具の一態様を示す図である。
【図３】挿通孔の外枠部に設けられた一対の分割片の一形態を示す拡大図である。
【図４】物品吊下保持装置の動作及び作用を説明する図であり、特にベルト連結具の回動を示す図である。
【図５】ベルトの引張によってベルトがベルト連結具から離脱する際の初期段階を示す図である。
【図６】ベルトの引張によってベルトがベルト連結具から離脱する際の中間段階を示す図である。
【図７】ベルトの引張によってベルトがベルト連結具から離脱した状態を示す図である。
【図８】挿通孔の外枠部に設けられた一対の分割片の第二の形態を示す拡大図である。
【図９】挿通孔の外枠部に設けられた一対の分割片の第三の形態を示す拡大図である。
【符号の説明】
【００２４】
１  物品
２  ベルト
２ａ  折返部
３  ベルト連結具
４  軸部
６  装着孔
７  挿通孔
８  外枠部
８ａ，８ｂ  分割片
９  切欠部
１０  ガイド部
ｔ  折返部の肉厚
ｗ  切欠部の幅
【図１】
2007209500.tif 000003
【図２】
2007209500.tif 000004
【図３】
2007209500.tif 000005
【図４】
2007209500.tif 000006
【図５】
2007209500.tif 000007
【図６】
2007209500.tif 000008
【図７】
2007209500.tif 000009
【図８】
2007209500.tif 000010
【図９】
2007209500.tif 000011